(57)【要約】      （修正有）【課題】インクジェットプリンタ又はレーザープリンタを使って両面に自在に印刷でき、また、筆記具を使って両面に自在に筆記でき、更に、使用後においては古紙回収してリサイクルできるようにした書類収納用の紙ホルダーを提供する。【解決手段】書類収納用の紙ホルダー１は、インクジェットプリンタ用紙でもって形成した２枚の表面２（一方の面）、裏面３（他方の面）からなる縦長の長方形で、表面、裏面の内のいずれか隣り合う端部を接合して、開放している他の２辺から収納書類等を自在に出し入れ可能とした。【選択図】図３
0003229680.tif 000002
【実用新案登録請求の範囲】
【請求項１】
インクジェットプリンタ用紙でもって形成した表面、裏面からなる縦長の長方形で、当該表面、裏面の内のいずれか隣り合う端部を接合して、開放している他の２辺から収納書類等を自在に出し入れ可能とし、一般のインクジェットプリンタ又はレーザープリンタを使って両面にきれいに自在に印刷でき、また、一般の通常の筆記具を使って両面に自在に筆記でき、更に、使用後においては古紙回収してリサイクルできるようにしたことを特徴とする書類収納用の紙ホルダー。
【請求項２】
前記開放している他の２辺のいずれかの部分に、切欠部を有することを特徴とする請求項１記載の書類収納用の紙ホルダー。
【考案の詳細な説明】
【技術分野】
【０００１】
本考案は、印刷できる書類収納用の紙ホルダーに関するものであり、詳しくは、一般のインクジェットプリンタ又はレーザープリンタを使って両面に自在に印刷でき、また、一般の通常の筆記具を使って両面に自在に筆記でき、更に、使用後においては古紙回収してリサイクルできるようにした新規な印刷できる書類収納用の紙ホルダーに関するものである。
【背景技術】
【０００２】
従来における一般的な書類収納用のホルダーは、ポリプロピレン等の樹脂材等から形成されて、適宜の各種書類等を収納できるようにしたものが一般である。
【０００３】
これら従来における書類収納用のホルダーは、ホルダーが樹脂材等から形成されていることから、一般にホルダーの両面に印刷したり、筆記したりできないのが通常である。
【０００４】
したがって、各種の書類を収納したホルダーを、収納した内容書面等を夫々区分けして保管するような場合、ホルダー両面に印刷したり、筆記したりできないことから、区分けのための個別のインデックスを作ったりしなければならず、面倒で煩雑な手間を要していたのが実情である。
【０００５】
特許文献１には、収納書類の少なくとも隣接二辺を突き当て保持可能なように二枚の表紙によって構成され、書類収納側となる内側面の全部または一部には露出した和紙が配置されている書類収納用ファイルや、前記表紙の全部または一部は一枚の和紙から構成されている書類収納用ファイル、また、前記和紙はＮＢＫＰ（長繊維）を３０％以上含む和紙である書類収納用ファイル、更にまた、前記和紙は、前記パルプの乾燥工程においてドライヤーのシリンダーへの非接触側の面が内側で対向するように配置されている書類収納用ファイルが提案されている。
【０００６】
特許文献１に提案されている書類収納用ファイルは、収納書類の少なくとも隣接二辺を突き当て保持可能なように二枚の表紙によって構成され、書類収納側となる内側面の全部または一部には露出した和紙が配置されている書類収納用ファイルであり、また、前記表紙の全部または一部は一枚の和紙から構成されている書類収納用ファイルである。
【０００７】
しかしながら、特許文献１における書類収納用ファイルは、書類収納用ファイルの書類収納側となる内側面の全部または一部、或いは、表紙の全部または一部が和紙から形成されているものであることから、その目的である調湿効果を得ることはできるが、和紙自体に印字したり書き込んだりする場合、滲みが出たり等、和紙独特の問題性が潜んでいて、そして、一般の如何なる印刷機器類を自在に使用して印字できるものではないと推認できる。
【先行技術文献】
【特許文献】
【０００８】
【特許文献１】登録実用新案第３１６７２５９号
【考案の概要】
【考案が解決しようとする課題】
【０００９】
本考案は、上述した従来の実情に鑑み創作されたものであり、ホルダー両面をインクジェットプリンタ用紙でもって形成し、一般のインクジェットプリンタ又はレーザープリンタを使って両面にきれいに自在に印刷でき、また、一般の通常の筆記具を使って両面に自在に筆記でき、更に、使用後においては古紙回収してリサイクルできるようにした新規な印刷できる書類収納用の紙ホルダーを提供するものである。
【課題を解決するための手段】
【００１０】
本考案に係る書類収納用の紙ホルダーは、ホルダー両面をインクジェットプリンタ用紙でもって形成し、一般のインクジェットプリンタ又はレーザープリンタを使って両面にきれいに自在に印刷でき、また、一般の通常の筆記具を使って両面に自在に筆記でき、更に、使用後においては古紙回収してリサイクルできるようにしたことを主要な特徴とする。
【考案の効果】
【００１１】
請求項１記載の考案によれば、開放している他の２辺から収納書類等を自在に出し入れ可能とし、一般のインクジェットプリンタ又はレーザープリンタを使ってインクジェットプリンタ用紙でもって形成したホルダーの両面にきれいに自在に印刷でき、また、一般の通常の筆記具を使って両面に自在に筆記でき、更に、使用後においては古紙回収してリサイクルできるようにした書類収納用の紙ホルダーを実現し提供することができる。
【００１２】
請求項２記載の考案によれば、請求項１記載の効果に加えて、切欠部をもって、収納書類等の出し入れが円滑となる書類収納用の紙ホルダーを実現し提供することができる。
【図面の簡単な説明】
【００１３】
【図１】図１は本考案の実施例に係る書類収納用の紙ホルダーの表面図である。
【図２】図２は本考案の実施例に係る書類収納用の紙ホルダーの裏面図である。
【図３】図３は一般のインクジェットプリンタ又はレーザープリンタを使用して本考案の実施例に係る書類収納用の紙ホルダー面に印刷する状態の概念図である。
【考案を実施するための形態】
【００１４】
本考案は、開放している他の２辺から収納書類等を自在に出し入れ可能とし、一般のインクジェットプリンタ又はレーザープリンタを使ってインクジェットプリンタ用紙でもって形成したホルダーの両面にきれいに自在に印刷でき、また、一般の通常の筆記具を使って両面に自在に筆記でき、更に、使用後においては古紙回収してリサイクルできるようにした書類収納用の紙ホルダーをインクジェットプリンタ用紙でもって構成したことにより実現した。
【実施例】
【００１５】
以下、図面を参照して、本考案の実施例に係る書類収納用の紙ホルダーについて詳細に説明する。
【００１６】
（実施例）
まず、本実施例に係る書類収納用の紙ホルダー１について、図１、図２を参照して説明する。
【００１７】
本実施例に係る書類収納用の紙ホルダー１は、インクジェットプリンタ用紙でもって形成した２枚の表面２（一方の面）、裏面３（他方の面）からなる縦長の長方形で、当該表面２、裏面３の内のいずれか隣り合う端部を接合４して、開放している他の２辺５、６から収納書類等を自在に出し入れ可能として構成したものである。
【００１８】
前記書類収納用の紙ホルダー１の開放している２辺５、６のいずれかの部分には、切欠部７を有して構成しても良い。
【００１９】
本実施例に係る書類収納用の紙ホルダー１によれば、開放している他の２辺５、６から適宜の収納書類等を自在に出し入れが可能であり、一般のインクジェットプリンタ又はレーザープリンタを使ってインクジェットプリンタ用紙でもって形成したホルダー１の表面２（一方の面）、裏面３（他方の面）の両面にきれいに自在に印刷でき、また、一般の通常の筆記具を使って当該両面に自在に筆記できるものとなる。
【００２０】
更に、書類収納用の紙ホルダー１は、その使用後においては、古紙回収してリサイクルできる。
【００２１】
また、前記書類収納用の紙ホルダー１の切欠部７をもって、書類収納用の紙ホルダー１への収納書類等の出し入れを円滑とすることができる。
【産業上の利用可能性】
【００２２】
本考案に係る書類収納用の紙ホルダーは、ホルダー自体への自在な印刷や書入れが自在であることから、広範な各分野において整理しつつ各種の書類を収納したり出し入れしたりして広範に利用可能である。
【符号の説明】
【００２３】
１    書類収納用の紙ホルダー
２    表面（一方の面）
３    裏面（他方の面）
４    端部の接合
５    開放している辺
６    開放している辺
７    切欠部
【図１】
0003229680.tif 000003
【図２】
0003229680.tif 000004
【図３】
0003229680.tif 000005